(57)【要約】【課題】スイッチ本体のオン・オフ操作が安全、かつ確実に行われるスイッチ機構を備えるとともに、スイッチ機構を小型化することでハウジングをコンパクトにし、小型化、軽量化された動力工具を提供する。【解決手段】該スイッチ機構は、該第２スイッチレバーの操作によって該スイッチ本体をオンする方向に移動する可動軸と、該スイッチ本体と該第１スイッチレバーとの間に位置し、一端を該可動軸の先端に回動可能に軸支されたコンタクトレバーと、該コンタクトレバーの他端を該スイッチ本体をオンする方向に移動させる第１スイッチレバーと、該可動軸を常時下方に付勢する付勢部材とからなり、該第１スイッチレバーと該第２スイッチレバーの双方を操作したときにのみ該コンタクトレバーを介してスイッチ本体がオンすることを特徴とする。【選択図】図２
2010148360.tif 000002
【特許請求の範囲】
【請求項１】
駆動モータと該駆動モータの回転を伝達する伝達機構部とを収納した本体部と、該本体部の後方に設けられスイッチ本体を収納したハンドル部とからなるハウジングと、該ハウジングの前方に設けられ、該駆動モータにより作動する刃物部とからなり、該ハンドル部に設けられた第１スイッチレバー、および該本体部に設けられた第２スイッチレバーの双方を操作したときにのみ、該スイッチ本体がオンするスイッチ機構を備えた動力工具において、
該スイッチ機構は、該第２スイッチレバーの操作によって該スイッチ本体をオンする方向に移動する可動軸と、該スイッチ本体と該第１スイッチレバーとの間に位置し、一端を該可動軸の先端に回動可能に軸支されたコンタクトレバーと、該コンタクトレバーの他端を該スイッチ本体をオンする方向に移動させる第１スイッチレバーと、該可動軸を常時下方に付勢する付勢部材とからなり、該第１スイッチレバーと該第２スイッチレバーの双方を操作したときにのみ該コンタクトレバーを介してスイッチ本体がオンすることを特徴とする動力工具。
【請求項２】
該第２スイッチレバーに設けられた回動軸は、該駆動モータの後方にあって、該可動軸の前方又は後方のいずれか一方に設けられ、該可動軸に係合する操作腕を備えていることを特徴とする請求項１に記載の動力工具。
【発明の詳細な説明】
【技術分野】
【０００１】
本発明は、２つのスイッチレバーを備え、該２つのスイッチレバーの双方を操作したときにのみ、スイッチ本体がオンし駆動モータが駆動するスイッチ機構を備えた動力工具に関するものである。
【背景技術】
【０００２】
一般的に、この種の動力工具のスイッチ機構にあっては、スイッチ操作上の安全のため、二箇所のスイッチレバーを操作して初めて作動するものが知られている。すなわち、二箇所に設けられたスイッチレバーのうち一方のスイッチレバーを操作するだけでは、駆動モータを起動するスイッチ本体がオンとならず、また、二箇所のスイッチレバーを操作し、スイッチ本体をオンした状態で一方のスイッチレバーから手を離すとスイッチレバーがオフに切り換わり、動力工具の刃物部の動作が停止されるようになっている。
【０００３】
たとえば、特許文献１に記載のスイッチ機構では、スイッチ本体のスイッチボタンを押してスイッチ本体をオンさせる可動軸(ピン）は、常時バネにより、スイッチ本体をオンさせる方向に付勢され、スイッチ本体がオフの状態では、第１スイッチレバーと第２スイッチレバーの双方により可動軸の移動を規制し、第１スイッチレバーと第２スイッチレバーの双方が操作されると規制が解除され、バネの付勢力により可動軸が移動しスイッチ本体をオンする構造である。
【０００４】
また、特許文献１に記載のスイッチ機構では、第２スイッチレバーの回動軸（支持ピン部）がハウジングの駆動モータより前方に位置に設けられ、この回動軸と駆動モータの後方に設けられた可動軸とを連結する操作腕（中間アーム）が駆動モータを迂回して延びている。
【特許文献１】特許第３３３８５４３号公報
【発明の開示】
【発明が解決しようとする課題】
【０００５】
しかしながら、上記特許文献１に記載のスイッチ機構では、バネの付勢力で可動軸を移動させスイッチ本体をオンする構造であるため、バネの付勢力のバラツキにより可動軸の移動が確実になされない、またバネの繰り返しの伸び縮みによりバネ力が弱くなり可動軸の移動が確実に行われなくなり、スイッチ本体のオン・オフが確実に行われなくなるという問題があった。
さらに、第２スイッチレバーの回動軸（支持ピン部）が本体部内の駆動モータより前方の位置に設けられているので、操作腕を駆動モータの両側を迂回して設けなければならないため、操作腕が大型化し、本体部をコンパクトにできず、この種動力工具の小型化、軽量化が図れないという問題があった。
【０００６】
本発明は、スイッチ本体のオン・オフが安全、かつ確実に行われるスイッチ機構を備えるとともに、スイッチ機構を小型化することでハウジングをコンパクトにし、小型化、軽量化された動力工具を提供することを目的とする。
【課題を解決するための手段】
【０００７】
本発明は、駆動モータと該駆動モータの回転を伝達する伝達機構部とを収納した本体部と、該本体部の後方に設けられスイッチ本体を収納したハンドル部とからなるハウジングと、該ハウジングの前方に設けられ、該駆動モータにより作動する刃物部とからなり、該ハンドル部に設けられた第１スイッチレバー、および該本体部に設けられた第２スイッチレバーの双方を操作したときにのみ、該スイッチ本体がオンするスイッチ機構を備えた動力工具において、該スイッチ機構は、該第２スイッチレバーの操作によって該スイッチ本体をオンする方向に移動する可動軸と、該スイッチ本体と該第１スイッチレバーとの間に位置し、一端を該可動軸の先端に回動可能に軸支されたコンタクトレバーと、該コンタクトレバーの他端を該スイッチ本体をオンする方向に移動させる第１スイッチレバーと、該可動軸を常時下方に付勢する付勢部材とからなり、該第１スイッチレバーと該第２スイッチレバーの双方を操作したときにのみ該コンタクトレバーを介してスイッチ本体がオンすることを最も主要な特徴とする。
【０００８】
上記構成のごとく、該スイッチ機構は、該第２スイッチレバーの操作によって該スイッチ本体をオンする方向に移動する可動軸と、該スイッチ本体と該第１スイッチレバーとの間に位置し、一端を該可動軸の先端に回動可能に軸支されたコンタクトレバーと、該コンタクトレバーの他端を該スイッチ本体をオンする方向に移動させる第１スイッチレバーと、該可動軸を常時下方に付勢する付勢部材とからなり、該第１スイッチレバーと該第２スイッチレバーの双方を操作したときにのみ該コンタクトレバーを介してスイッチ本体がオンするようにしたので、スイッチ本体のオン・オフが安全に行われ、かつ第２スイッチレバーの操作によって、直接、可動軸が移動するので、スイッチ本体のオン操作が確実になされる。
【０００９】
また、本発明の第２スイッチレバーに設けられた回動軸は、該駆動モータの後方にあって、該可動軸の前方又は後方のいずれか一方に設けられ、該可動軸に係合する操作腕を備えていることを特徴とする。
【００１０】
上記構成のごとく、第２スイッチレバーに設けられた回動軸は、該駆動モータの後方にあって、該可動軸の前方又は後方のいずれか一方に設けられ、該可動軸に係合する操作腕を備えているので、可動軸に係合する操作腕を小型化できるため、ハウジングをコンパクトにできて、動力工具の小型化、軽量化を図ることができる。
【発明の効果】
【００１１】
本発明の動力工具は、スイッチ本体のオン・オフ操作が安全に行われ、かつ第２スイッチレバーの操作によって、直接、可動軸が移動するので、スイッチ本体のオン操作が確実になされる。さらに、可動軸に係合する操作腕の小型化により、スイッチ機構の小型化が図れ、ハウジングをコンパクトにできて、この種動力工具の小型化、軽量化を図ることができる。
【発明を実施するための最良の形態】
【００１２】
次に、本発明の実施の形態を図１乃至図５に基づいて説明する。図１は、本発明の動力工具の一種である刈込機の一部を省略した側面図である。図２は図１の断面側面図である。図３乃至図５は、本発明の動力工具の一種である刈込機のスイッチ機構の作動状態を示す断面側面図である。
【００１３】
図１において２は、本発明の刈込機１のハウジングであり、このハウジング２は概ね図中右側の本体部２ａと図中左側の略Ｄ型をなすハンドル部２ｂとを主体として一体に形成されている。略Ｄ型をなすハンドル部２ｂの上側端部にあって本体部２ａと接続する部分の近傍には本発明の第１スイッチレバーに相当するトリガ３が設けられている。本体部２ａには、本体部２ａの下部後方から前方にわたって、本体部２ａの両側面（図中、垂直方向）にまたがる略コの字形状をしたフロントハンドル４が、前方に傾斜した状態でその両方の下端を固定ネジ５により固定されている。フロントハンドル４には、本発明の第２スイッチレバーに相当するフロントスイッチレバー６がピン７により回動可能に設けられている。さらに、本体部２ａの前側の下部には、生け垣や街路樹の小枝を切断する本発明の刃物部に相当する刈刃８が設けられている。なお、図１、図２は、トリガ３とフロントスイッチレバー６の双方が操作されてない状態を示している。
【００１４】
さらに、図２に示すように、上記本体部２ａの略中央には、駆動モータ９がその出力軸９ａを垂直（図中、上下方向）に立てた状態で収容されている。この駆動モータ９はハンドル部２ｂの上側端部にあって本体部２ａと接続する部分の近傍に配置されたスイッチ本体１０を開閉（オン・オフ）することによって起動・停止する。このスイッチ本体１０は、図示下方に向けられたスイッチボタン１０ａを備えており、このスイッチボタン１０ａを上方に押し込むと当該スイッチ本体１０はオンして駆動モータ９が起動する一方、押込み操作を解除するとこのスイッチボタン１０ａは突出方向に復帰し、駆動モータ９が停止するようになっている。なお、スイッチ本体１０には図示を省略した電源側コードと駆動モータ側コードが接続されている。
【００１５】
垂直に設けられた駆動モータ９の出力軸９ａの先端部には、ピニオンギア９ｂが形成されており、このピニオンギア９ｂは、本体２ａの下面開口部に嵌込み状に取付けられたギアケース１１の内部に突き出されている。さらに、このギアケース１１にはギア軸１３が埋設され、ピニオンギア９ｂと噛み合うギア１２を回転可能に軸支している。このギア１２には２段に形成された偏心カム１２ａが一体的に設けられている。この偏心カム１２ａには、上下２つの可動刃からなる刈刃８が前後方向に往復動可能に係合し、小枝等の切断を可能にしている。
【００１６】
次に、本発明の実施の形態の刈込機のスイッチ機構について説明する。
本体部２ａの後方で、かつギアケース１１の後方端部には支持孔１１ａが、上記駆動モータ９の出力軸９ａに対して平行に形成されており、この支持孔１１ａには可動軸１４の下端部が挿入され、図示上下方向に移動可能となっている。この可動軸１４は長尺の軸であり、上部の所定の箇所を本体部２ａに形成された支持部２ｃで支持され、その先端は上記スイッチ本体１０のスイッチボタン１０ａの近傍まで延びている。
【００１７】
この可動軸１４の略中間部には、半球状のフランジ１４ａが一体に形成され、さらに上記本体部２ａに形成された支持部２ｃとフランジ１４ａとの間には、本発明の付勢部材に相当する圧縮コイルバネからなる可動軸用バネ１５が適度に圧縮された状態で装着され、常時可動軸１４を図中下方向に付勢している。
【００１８】
さらに、可動軸１４の先端には、コンタクトレバー１７がその一端（図中右端）を支軸１６により回動可能に軸支されている。このコンタクトレバー１７は板状に形成され、上記スイッチ本体１０に設けられているスイッチボタン１０ａとトリガ３との間にあって図中後方に向けて所定の長さ設けられている。その他端（図中左端）は、圧縮コイルバネからなるコンタクトレバーバネ１９により、常時下方に付勢され、上記トリガ３に備えられたダンパー１８に当接している。
なお、ダンパー１８は、熱可塑性樹脂等からなり、弾性変形可能に略Ｙ字を横に倒した状態に形成されている。そして、その作用は、後述するトリガ３とフロントスイッチレバー６の双方が操作されたとき、コンタクトレバー１７によりスイッチボタン１０ａに必要以上の押し込み力が生じた場合に、その押し込み力を吸収し緩和するためのものである。
【００１９】
トリガ３は、スイッチ本体１０に対向する位置に、その一端をピン２０により回動可能に軸支されている。このトリガ３をピン２０を中心に回動させハンドル部２ｂ内に押し込む操作をすると、ダンパー１８を介してコンタクトレバー１７が支軸１６を中心に上方（時計回り方向）へ回動することとなる。（図３参照）
【００２０】
固定ネジ５により本体部２ａに固定され、本体部２ａの両側面（図中、垂直方向）にまたがる略コの字形状をした上記フロントハンドル４は、その断面形状を略Ｕ字状に形成している。このフロントハンドル４の略Ｕ字形状の溝部４ａには、本体部２ａの両側面（図中、垂直方向）にまたがり略コの字形状をし、その断面形状を略逆Ｕ字状に形成したフロントスイッチレバー６が出入り可能に挿入されている。そして、フロントハンドル４の溝部４ａとフロントスイッチレバー６の溝部６ａの先端部には圧縮コイルバネからなるフロントスイッチレバーバネ２１が所定のバネ力が生じるように圧縮して設けられ、常時フロントスイッチレバー６をフロントハンドル４から離れる方向に付勢している。
【００２１】
フロントスイッチレバー６の下端部は、図１に示すようにフロントハンドル４が固定されている下端部よりわずかに上方にピン７によりフロントハンドル４に回動可能に軸支されている。さらに、図２に示すようにフロントスイッチレバー６の両方の下端部は、上記ピン７と同軸上で本体部２ａの両側面に形成された貫通孔２ｄに回動可能に係合している回転軸２２の両端に嵌め合わされている。図示を省略している回転軸２２の両端は、軸方向から見て小判形状の凸部に形成され、フロントスイッチレバー６の下端部に形成された軸方向から見て小判形状の凹部に嵌め合わされている。このため回転軸２２は、フロントスイッチレバー６と一体となって同じ角度だけ回動することとなる。
【００２２】
上記回動軸２２には、上記可動軸１４に対向する位置に操作腕２２ａが一体に形成されている。操作腕２２ａの先端部には長穴２２ｂが形成され、この長穴２２ｂに上記可動軸１４が上下動可能に挿入されている。そして上記可動軸用バネ１５のバネ力により、常時可動軸１４に一体に設けられた半球状のフランジ１４ａの下端を操作腕２２ｂの上部に当接させている。
【００２３】
よって、図２において、フロントスイッチレバー６を握り込み操作して、図中時計回り方向に回動させると、回転軸２２も一体となって時計回り方向に回動し、この回動軸２２に一体に形成された操作腕２２ｂも時計回り方向に回動する。このため可動軸用バネ１５のバネ力に抗し、フロントスイッチレバー６と一体となった操作腕２２ｂにより、フランジ１４ａを介して、直接、可動軸１４を上方に移動させることができる。（図４参照）
そして、フロントスイッチレバー６の握り込み操作をやめると、図２に示すように、フロントスイッチレバー６は、フロントスイッチレバーバネ２１のバネ力により元の位置に復帰し、可動軸１４は、可動軸用バネ１５のバネ力により下方に移動させられ元の位置に復帰する。
【００２４】
本発明の実施の形態の刈込機のスイッチ機構は、トリガ３とフロントスイッチレバー６の双方を同時に操作し、コンタクトレバー１７を介してスイッチボタン１０ａを押し込みスイッチ本体１０をオンするので、スイッチ本体１０のオン・オフ操作が安全になされ、さらにコンタクトレバー１７を先端部に設けた可動軸１４を、直接、フロントスイッチレバー６と一体となった回動軸２２の操作腕２２ａにより、スイッチ本体１０をオンする方向、すなわちスイッチボタン１０ａを押し込む方向に移動させるので、確実にスイッチ本体１０のオン操作が可能となる。
【００２５】
なお、可動軸１４が上下動可能に挿入され、かつフランジ１４ａが当接する操作腕２２ａの先端部は、長穴２２ｂに限定されるものでなく、Ｕ字形状に形成されても、Ｌ字形状に形成されてもよい。
【００２６】
また、操作腕２２ａの上側には、凸部２２ｃが略直角方向に形成されている。この凸部２２ｃは、フロントスイッチレバー６が部品の寸法のバラツキ等により必要以上に回動することのないように、上記フランジ部１４ａに当接するストッパーの役割をしている。
【００２７】
さらに、上記フロントスイッチレバー６の回動の中心軸である回動軸２２は、駆動モータ９の後方（図中左側）にあって上記可動軸１４の前側に設けられている。このため、回動軸を駆動モータの前側に設け、操作腕を駆動モータの両側を迂回して設ける従来技術の構成と比べ、本発明では、可動軸１４を移動させるための操作腕２２ａを駆動モータ９の周囲に迂回させて設ける必要がなくなり、その長さを短く、幅を小さくできて、本体部２ａの駆動モータ９周りをより細くできて、本体部２ａ、すなわちハウジング２をコンパクトになり、さらにフロントハンドル４、およびフロントスイッチレバー６の幅を小さくできて、刈込機の小型化、軽量化が図れる。
【００２８】
なお、本実施の形態では、回動軸２２を可動軸１４の前側に設けたが、本体部２ａにあって可動軸１４の後端部(図中左側）、あるいはハンドル部２ｂの下側の先端部に設けてもよく、駆動モータ９と可動軸１４の距離を短くすることができるので、より一層、刈込機の小型化、軽量化を図ることができる。
【００２９】
次に、本発明のスイッチ機構を図２乃至図５によりその作用を説明する。
【００３０】
まず、図２は、トリガ３とフロントスイッチレバー６の双方が操作されていないスイッチ本体１０のオフの状態を示している。この状態では、トリガ３はコンタクトレバーバネ１９のバネ力によりコンタクトレバー１７とともに下方に位置している。また、フロントスイッチレバー６も操作されていないため、可動軸１４は可動軸用バネ１５により下方に押し下げられている。このため、コンタクトレバー１７は、スイッチボタン１０ａと所定の距離を保ち離れている。
【００３１】
次に、図３は、トリガ３のみが操作された状態を示し、スイッチ本体１０がオフの状態を示している。この状態では、トリガ３はコンタクトレバーバネ１９に抗してピン２０を中心に図中時計回り方向に回動し、ハンドル部２ｂ内に押し込められている。同じくコンタクトレバー１７もトリガ３の回動によりダンパー１８を介して支軸１６を中心に回動している。しかし、コンタクトレバー１７のダンパー１８に当接している側はスイッチ本体１０に近づいているが、フロントスイッチレバー６が操作されていないため、コンタクトレバー１７の回動中心である支軸１６の側は、依然、図２に示す位置にあり、スイッチボタン１０ａを押し込めない状態にある。すなわち、スイッチ本体１０をオンできない状態にある。
【００３２】
次に、図４は、フロントスイッチレバー６のみが操作された状態を示し、スイッチ本体１０がオフの状態を示している。この状態では、フロントスイッチレバー６はフロントスイッチレバーバネ２１、および可動軸用バネ１５に抗して回動軸２２を中心に図中時計回り方向に回動し、操作腕２２ａがフランジ１４ａを介して可動軸１４を上方に移動させている。しかし、トリガ３が操作されていないため、可動軸１４の先端に支軸１６により回動可能に軸支されたコンタクトレバー１７は、支軸１６側では可動軸１４とともに上方に移動するが、ダンパー１８に当接している側は、依然、図２に示す位置にあり、スイッチボタン１０ａを押し込めない状態にある。すなわち、スイッチ本体１０をオンできない状態にある。
【００３３】
次に、図５は、トリガ３とフロントスイッチレバー６の双方が操作され、スイッチ本体１０がオンの状態を示している。この状態では、トリガ３はコンタクトレバーバネ１９に抗してピン２０を中心に回動し、ハンドル部２ｂ内に押し込められている。コンタクトレバー１７はトリガ３の回動によりダンパー１８を介して支軸１６を中心に図中時計回り方向に回動する。同時に、フロントスイッチレバー６はフロントスイッチレバーバネ２１、および可動軸用バネ１５に抗して回動軸２２を中心に図中時計回り方向に回動し、直接、操作腕２２ａがフランジ１４ａを介して可動軸１４を上方に移動させている。このため。コンタクトレバー１７の支軸１６の側、およびダンパー１８に当接している側の双方ともに上方に移動し、スイッチボタン１０ａをスイッチ本体１０内に押し込みスイッチ本体１０をオン状態としている。
【００３４】
次に、図５に示す状態からフロントスイッチレバー６の操作だけをやめると、フロントスイッチレバー６はフロントスイッチレバーバネ２１のバネ力により、可動軸１４は可動軸用バネ１５のバネ力により、図３に示す位置に復帰し、コンタクトレバー１７によるスイッチボタン１０ａの押し込みが解除され、スイッチ本体１０がオフの状態となり刈込機の駆動が停止する。
【００３５】
同様に、トリガ３の操作だけをやめると、コンタクトレバーバネ１９のバネ力によりトリガ３、およびコンタクトレバー１７のダンパー１８に当接してる側は、図４に示す位置に復帰し、コンタクトレバー１７によるスイッチボタン１０ａの押し込みが解除され、スイッチ本体１０がオフの状態となり刈込機の駆動が停止する。
【００３６】
さらに、図５に示す状態からトリガ３とフロントスイッチレバー６の双方の操作をやめると、図２に示す状態となり、コンタクトレバー１７によるスイッチボタン１０ａの押し込みが解除され、スイッチ本体１０がオフの状態となり刈込機の駆動が停止する。
【産業上の利用可能性】
【００３７】
本発明は、刈込機だけでなく、他にチェンソー等のようにフロントハンドルとハンドル部の双方にスイッチレバーを有する動力工具であればいずれにも適用できる。
【図面の簡単な説明】
【００３８】
【図１】本発明の動力工具の一種である刈込機の一部を省略した側面図である。
【図２】図１の断面側面図である。
【図３】本発明の動力工具の一種である刈込機の第１スイッチレバーを操作した状態の断面側面図である。
【図４】本発明の動力工具の一種である刈込機の第２スイッチレバーを操作した状態の断面側面図である。
【図５】本発明の動力工具の一種である刈込機の第１及び第２スイッチレバーを操作した状態の断面側面図である。
【符号の説明】
【００３９】
１      刈込機
２      ハウジング
２ａ    本体部
２ｂ    ハンドル部
３      トリガ
６      フロントスイッチレバー
１０    スイッチ本体
１０ａ  スイッチボタン
１４    可動軸
１７    コンタクトレバー
２２    回動軸
２２ａ  操作腕
【図１】
2010148360.tif 000003
【図２】
2010148360.tif 000004
【図３】
2010148360.tif 000005
【図４】
2010148360.tif 000006
【図５】
2010148360.tif 000007